(57)【要約】【目的】本発明は、反射板に伝達された熱を放熱フィン側に効率良く伝達させ、前記スポットライトの冷却効率を向上し得るスポットライトの放熱構造を実現することを目的としている。【構成】このため、本体と、本体内に配設される照明用ランプと、照明用ランプからの光を所定の一方向にのみ照射すべく本体の一側に開口させた照明開口部とを有するスポットライトにおいて、照明用ランプの後方側には照明用ランプの前方側に光を反射させる曲面形状の反射板を配設し、反射板の後方外周部位に放熱フィンを配設するとともに、反射板と放熱フィンとを接近させて設けている。【選択図】        図１
2005026132.tif 000002
【特許請求の範囲】
【請求項１】
本体と、この本体内に配設される照明用ランプと、照明用ランプからの光を所定の一方向にのみ照射すべく前記本体の一側に開口させた照明開口部とを有するスポットライトにおいて、前記照明用ランプの後方側にはこの照明用ランプの前方側に光を反射させる曲面形状の反射板を配設し、この反射板の後方外周部位に放熱フィンを配設するとともに、この反射板と放熱フィンとを接近させて設けたことを特徴とするスポットライトの放熱構造。
【請求項２】
前記反射板と放熱フィンとの間には、両部材に接触し、反射板から放熱フィン側に熱を伝達させる熱伝達部材を介設したことを特徴とする請求項１に記載のスポットライトの放熱構造。
【発明の詳細な説明】
【０００１】
【発明の属する技術分野】
この発明はスポットライトの放熱構造に係り、特に反射板に伝達された熱を放熱フィン側に効率良く伝達させ、スポットライトの冷却効率を向上し得るスポットライトの放熱構造に関するものである。
【０００２】
【従来の技術】
照明装置においては、使用箇所によってスタンド方式のものや壁取付方式、天井取付方式のもの等に分類される。
【０００３】
そして、天井取付方式のものにおいても、使用するランプや蛍光灯等の照明器具によって、種々取付方策が異なるものである。
【０００４】
すなわち、ランプを使用する場合としてはスポットライトがあり、蛍光灯を使用する場合には、蛍光灯部分の突出する天井直付けタイプや埋め込み型タイプ等がある。
【０００５】
【特許文献１】
特許第３０６０２８５号公報  （第２−４頁、図１）
【０００６】
【発明が解決しようとする課題】
ところで、従来のスポットライトは、図４に示す如く、ボディである本体１０６と、この本体１０６内に設けられるランプホルダ１０８と、ランプホルダ１０８に取り付けられる照明用ランプ１１０と、照明用ランプ１１０からの光を所定の一方向にのみ照射すべく前記本体６の一側に開口させた照明開口部１１２と、前記照明用ランプ１１０の後方側に取り付けられる反射板１１４と、反射板１１４の後方外周部位に配設される放熱フィン１１６とを有している。
【０００７】
そして、前記スポットライト１０２は、図４に示す如く、中心部位にランプホルダ１０８を配設し、このランプホルダ１０８に前方である一側（図４において左側）から照明用ランプ１１０を取り付ける。
【０００８】
この照明用ランプ１１０の後方側（図４において右側）にはこの照明用ランプ１１０の前方側（図４において左側）に光を反射させる曲面形状の前記反射板１１４を配設している。
【０００９】
また、前記本体１０６の前方側にフード１１８を取り付け、このフード１１８によって前記放熱フィン１１６を固定している。
【００１０】
更に、前記フード１１８の前方側にはフードホルダ１２０を取り付けるとともに、このフードホルダ１２０の前方側を前記照明開口部１１２として機能させている。
【００１１】
このとき、従来のスポットライト１０２においては、前記反射板１１４と放熱フィン１１６との間に大なる間隙１２２が形成されており、前記反射板１１４に伝達された熱が間隙１２２によって遮断され、放熱フィン１１６側に効率良く伝達させることができず、前記スポットライト２の冷却効率が悪化するという不都合がある。
【００１２】
よって、反射板に伝達された熱を放熱フィン側に効率良く伝達させ、前記スポットライトの冷却効率を向上し得るスポットライトの放熱構造の実現が望まれていた。
【００１３】
【課題を解決するための手段】
そこで、この発明は、上述不都合を除去するために、本体と、この本体内に配設される照明用ランプと、照明用ランプからの光を所定の一方向にのみ照射すべく前記本体の一側に開口させた照明開口部とを有するスポットライトにおいて、前記照明用ランプの後方側にはこの照明用ランプの前方側に光を反射させる曲面形状の反射板を配設し、この反射板の後方外周部位に放熱フィンを配設するとともに、この反射板と放熱フィンとを接近させて設けたことを特徴とする。
【００１４】
【発明の実施の形態】
上述の如く発明したことにより、スポットライトの点灯によって発生した熱が反射板に伝達された際に、反射板側の熱を放熱フィン側に効率良く伝達させ、スポットライトの冷却効率を向上させている。
【００１５】
【実施例】
以下図面に基づいてこの発明の実施例を詳細に説明する。
【００１６】
図１及び図２はこの発明の第１実施例を示すものである。図１及び図２において、２はスポットライト、４はスポットライト２を吊下支持するための吊下アームである。
【００１７】
前記スポットライト２は、図１及び図２に示す如く、ボディである本体６と、この本体６内に設けられるランプホルダ８と、ランプホルダ８に取り付けられる照明用ランプ１０と、照明用ランプ１０からの光を所定の一方向にのみ照射すべく前記本体６の一側に開口させた照明開口部１２と、前記照明用ランプ１０の後方側に取り付けられる反射板１４と、反射板１４の後方外周部位に配設される放熱フィン１６とを有する。
【００１８】
そして、前記スポットライト２は、図１に示す如く、中心部位にランプホルダ８を配設し、このランプホルダ８に前方である一側（図１において左側）から照明用ランプ１０を取り付け、この照明用ランプ１０の後方側（図１において右側）にはこの照明用ランプ１０の前方側（図１において左側）に光を反射させる曲面形状の前記反射板１４を配設している。
【００１９】
また、前記本体６の前方側にフード１８を取り付け、このフード１８内面の係合凹部１８ａに前記放熱フィン１６の係合凸部１６ａを係合させて放熱フィン１６を固定して設ける。
【００２０】
更に、前記フード１８の前方側にはフードホルダ２０を取り付けるとともに、このフードホルダ２０の前方側を前記照明開口部１２として機能させるものである。
【００２１】
このとき、前記反射板１４と放熱フィン１６とを接近させて設ける。
【００２２】
すなわち、前記スポットライト２の照明用ランプ１０から反射板１４に熱が伝達された際に、反射板１４側の熱を放熱フィン１６側に容易に伝達可能な状態の間隙２２を設けるものである。
【００２３】
また、この間隙２２の設定においては、反射板１４及び放熱フィン１６の熱膨張を考慮し、熱膨張によって反射板１４が放熱フィン１６に接触し、反射板１４および／または放熱フィン１６の損傷を回避できる程度とする。
【００２４】
なお、符号２４は、前記スポットライト２の吊下アーム４の取り付けられる電源箱体、２６は電源箱体２４と前記スポットライト２を連絡する電源コードである。
【００２５】
次に作用を説明する。
【００２６】
先ず、前記スポットライト２を点灯させると、照明用ランプ１０部分において熱が発生し、この熱が空気あるいはランプホルダ８等の部材を介して反射板１４に伝達される。
【００２７】
そして、この反射板１４に熱が伝達された際には、間隙２２によって反射板１４側の熱が放熱フィン１６側に伝達され、放熱フィン１６によって空気中に放射される。
【００２８】
これにより、前記反射板１４と放熱フィン１６とを接近させて設けることによって、反射板１４に伝達された熱を間隙２２を介して放熱フィン１６側に効率良く伝達させることができ、前記スポットライト２の冷却効率を向上し得て、実用上有利である。
【００２９】
また、前記間隙２２の設定においては、前記反射板１４及び放熱フィン１６の熱膨張を考慮し、熱膨張によって反射板１４が放熱フィン１６に接触し、反射板１４および／または放熱フィン１６の損傷を回避できる程度に設定することにより、熱膨張によって反射板１４および／または放熱フィン１６が損傷されるおそれが全くなく、信頼性の高いスポットライト２を実現することができるものである。
【００３０】
図４はこの発明の第２実施例を示すものである。この第２実施例において、上述第１実施例のものと同一機能を果たす箇所には、同一符号を付して説明する。
【００３１】
上述の第１実施例においては、前記反射板１４と放熱フィン１６とを接近させて間隙２２を設ける構成としたが、この第２実施例の特徴とするところは、間隙２２部分に熱伝達部材３２を介設した点にある。
【００３２】
すなわち、図３に示す如く、前記反射板１４と放熱フィン１６との間の間隙２２に、両部材１４、１６に接触するとともに、反射板１４の裏面全域に接触し、反射板１４から放熱フィン１６側に熱を伝達させる熱伝達部材３２を配設する。そして、この熱伝達部材３２としては、空気よりも熱伝導率の高い部材を使用するものである。
【００３３】
さすれば、前記スポットライト２を点灯した後、照明用ランプ１０部分において発生した熱が空気あるいはランプホルダ８等の部材を介して反射板１４に伝達された際には、間隙２２に配設した熱伝達部材３２によって反射板１４側の熱が放熱フィン１６側により一層効率良く伝達され、放熱フィン１６によって空気中に放射されることとなり、前記スポットライト２の冷却効率を向上し得て、実用上有利である。
【００３４】
また、前記間隙２２に配設した熱伝達部材３２の選択においては、反射板１４及び放熱フィン１６の熱膨張を考慮し、熱膨張によって反射板１４および／または放熱フィン１６が損傷するという不具合を回避するために、スポンジ系材料等の収縮・復帰機能を有する部材を使用することで、熱膨張によって反射板１４および／または放熱フィン１６が損傷するおそれが全くなく、信頼性の高いスポットライト２を実現することができる。
【００３５】
なお、この発明は上述第１及び第２実施例に限定されるものではなく、種々の応用改変が可能である。
【００３６】
例えば、この発明の第２実施例においては、前記反射板と放熱フィンとの間の間隙に、両部材に接触し、反射板から放熱フィン側に熱を伝達させる熱伝達部材を配設する際に、反射板の裏面全域に接触する熱伝達部材を設ける構成としたが、接触面積を減少させる特別構成とすることも可能である。
【００３７】
すなわち、前記熱伝達部材を、放射状や格子状、あるいは任意の形状に形成し、この熱伝達部材を反射板の裏面に接触させた際に、反射板の裏面に接触する接触面積を減少させるものである。
【００３８】
さすれば、前記熱伝達部材の接触面積の減少によって、前記反射板と放熱フィンとの間に部分的な間隙が現出されることとなり、この部分的な間隙によって前記熱伝達部材の収縮時の変形を許容することができ、熱膨張によって反射板および／または放熱フィンが損傷するおそれが全くなく、スポットライトの信頼性をより一層高めることができ、実用上有利である。
【００３９】
【発明の効果】
以上詳細に説明した如くこの本発明によれば、本体と、本体内に配設される照明用ランプと、照明用ランプからの光を所定の一方向にのみ照射すべく本体の一側に開口させた照明開口部とを有するスポットライトにおいて、照明用ランプの後方側には照明用ランプの前方側に光を反射させる曲面形状の反射板を配設し、反射板の後方外周部位に放熱フィンを配設するとともに、反射板と放熱フィンとを接近させて設けたので、反射板に伝達された熱を放熱フィン側に効率良く伝達させることができ、前記スポットライトの冷却効率を向上し得る。
【図面の簡単な説明】
【図１】この発明の第１実施例を示すスポットライトの断面図である。
【図２】スポットライトの使用状態を示す説明図である。
【図３】この発明の第２実施例を示す反射板及び放熱フィン部分の要部拡大断面図である。
【図４】この発明の従来技術を示すスポットライトの断面図である。
【符号の説明】
２  スポットライト
４  吊下アーム
６  本体
８  ランプホルダ
１０  照明用ランプ
１２  照明開口部
１４  反射板
１６  放熱フィン
１６ａ  係合凸部
１８  フード
１８ａ  係合凹部
２０  フードホルダ
２２  間隙
２４  電源箱体
２６  電源コード
【図１】
2005026132.tif 000003
【図２】
2005026132.tif 000004
【図３】
2005026132.tif 000005
【図４】
2005026132.tif 000006
【手続補正書】
【提出日】平成15年7月14日(2003.7.14)
【手続補正１】
【補正対象書類名】図面
【補正対象項目名】全図
【補正方法】変更
【補正の内容】
【図１】
2005026132.tif 000007
【図２】
2005026132.tif 000008
【図３】
2005026132.tif 000009
【図４】
2005026132.tif 000010